(57)【特許請求の範囲】
【請求項１】
撮影レンズを通過した光をＲＧＢの各撮像手段に対応する分光特性を有する色成分に３分割する色分解プリズムの支持構造において、
台板と、
前記台板に形成された穴に挿嵌されるネジ筒であって、その先端部が前記台板の表面から突出するとともに、その基端部が前記台板の裏面から突出しない状態で配設されるネジ筒と、
前記台板の表面から突出した前記ネジ筒の先端部が挿入される孔が形成されるとともに、該孔を介して前記ネジ筒に螺合されるビスによって前記台板が連結される支持台と、
を備えており、
前記色分解プリズムは前記台板の裏面に接着されていることを特徴とする色分解プリズムの支持構造。
【発明の詳細な説明】
【０００１】
【発明の属する技術分野】
本発明は色分解プリズムの支持構造に係り、特に撮影レンズを通過した光をＲＧＢの各色成分に分割して各色チャンネルの撮像手段に導く色分解プリズムをビスを用いて所定の支持台に固定する色分解プリズムの支持構造に関する。
【０００２】
【従来の技術】
３板（管）式放送用カメラは、ＲＧＢ各撮像素子板（管）に各々対応する色光成分を導くために色分解プリズムを有し、撮影レンズを通過した光はＩＲフィルター、ＮＤフィルター等の光学フィルターを通過後、前記色分解プリズムに入射される。
【０００３】
この色分解プリズムは、カメラボディーの支持台に固定されるが、プリズムに直接ネジ穴を形成することは困難なため、プリズムの側面にガラスの熱膨張係数に近似するセラミック材料で形成したプリズム台板を接着し、このプリズム台板にネジ穴を設けて支持台とをビスで連結している。
【０００４】
【発明が解決しようとする課題】
しかしながら、従来のプリズム支持構造では、プリズム台板と支持台との組付け位置を合わせるために、プリズム台板に位置決め用のガイドピンが植設され、支持台側に前記ガイドピンが嵌入される穴が形成されている。かかる構造は、ガイドピンの植設、ピン埋め込み用の穴の加工など、製造が煩雑であるという欠点がある。
【０００５】
本発明はこのような事情に鑑みてなされたもので、簡単な構成で色分解プリズムを支持台に正しく位置決めして固定することができる色分解プリズムの支持構造を提供することを目的とする。
【０００６】
【課題を解決するための手段】
本発明は前記目的を達成する為に、撮影レンズを通過した光をＲＧＢの各撮像手段に対応する分光特性を有する色成分に３分割する色分解プリズムの支持構造において、台板と、前記台板に形成された穴に挿嵌されるネジ筒であって、その先端部が前記台板の表面から突出するとともに、その基端部が前記台板の裏面から突出しない状態で配設されるネジ筒と、前記台板の表面から突出した前記ネジ筒の先端部が挿入される孔が形成されるとともに、該孔を介して前記ネジ筒に螺合されるビスによって前記台板が連結される支持台と、を備えており、前記色分解プリズムは前記台板の裏面に接着されていることを特徴とする。
【０００７】
本発明によれば、色分解プリズムに接着される台板の穴にネジ筒を挿嵌して台板に固定用の雌ねじ部を形成するとともに、前記ネジ筒の先端部を台板の表面から突出させることで、該ネジ筒を位置決め用のガイドピンとして利用する。即ち、台板の表面から突出したネジ筒の先端部を支持台の孔に嵌合させることにより、支持台の孔と台板の雌ねじ部が一致し、台板の組付け位置が正確に位置決めされる。そして、前記孔を介してビスが螺合され、支持台と台板が連結される。これにより、色分解プリズムを支持台に固定することができる。
【０００８】
このように、ネジ筒でガイドピンを兼用したので、従来別途設けられていた位置決め用のガイドピンが不要となり、製造工程を簡略化でき、低コスト化を図ることができる。
【０００９】
【発明の実施の形態】
以下添付図面に従って本発明に係る色分解プリズムの支持構造の実施の形態について詳説する。
図１は、本発明に係る色分解プリズムの支持構造が適用される放送用カメラの先端部の側面断面図、図２は正面図である。尚、図２中カメラハウジングは省略されている。
【００１０】
図１に示すように、カメラハウジング１２の先端部には、レンズ鏡胴受け座１４、及びマウントリング１６が設けられている。マウントリング１６はレンズ鏡胴受け座１４の外周に螺合連結されており、前記レンズ鏡胴受け座１４に図示せぬ撮影レンズ鏡胴の後端部を嵌入した後、マウントリング１６を１／６回転回すことにより、前記撮影レンズがカメラボディーに着脱自在に装着される。
【００１１】
レンズ鏡胴受け座１４の後端には、防塵を兼ねた赤外カット（ＩＲ）フィルター１８（又はローパスフィルター）が保持されるとともに、前記レンズ鏡胴受け座１４の後方には、色分解プリズム２０を支持する支持台６０（図５参照）が形成されたプリズムハウジング２２が前記レンズ鏡胴受け座１４に密着して配置される。
【００１２】
プリズムハウジング２２の内側には、光量補正（ＮＤ）フィルター２４及び色温度変換（ＣＣ）フィルター２６を保持したフィルター保持枠２８がピン３０を介して回動自在に設けられている。フィルター保持部材２８の中心軸部にはギア３２が形成され、該ギア３２は、連結ギア３４を介してフィルター切替ツマミ３６の軸に固着されたギヤ３８に連結されている。
【００１３】
前記フィルター切替ツマミ３６を回転操作すると、該ツマミの軸端に固着されたギア３８が回転し、その回転力が連結ギア３４を介してフィルター保持部材２８に伝達され、フィルター保持部材２８がピン３０を中心に回動する。この回動によって色分解プリズム２０の手前に配置される光学フィルターを変更できるようになっている。
【００１４】
ＮＤフィルター２４及びＣＣフィルター２６を保持したフィルター保持部材２８の後方は防塵カバー４０（マスク兼用防塵カバー）で包囲され、前記ＮＤフィルター２４等の光学フィルターに塵埃が付着するのを防止している。この防塵カバー４０には色分解プリズム２０へ進入する光の範囲を規制する開口部４２が形成されており、防塵カバー４０の後方には、ゴム枠（又はスポンジ枠）４４を介して色分解プリズム２０が配置される。
【００１５】
前記ゴム枠４４が防塵カバー４０と色分解プリズム２０の入射面との間に密着して配設されることにより、色分解プリズム２０の入射面への塵埃の混入が防止されている。
色分解プリズム２０は３つのプリズム、即ち、光の入射側から第１、第２、第３プリズムから構成される。第１プリズム５１の光束出射面には、青色（ＢＬＵＥ）成分のみを反射するダイクロイックコートが施され、第２プリズム５２の光束出射面には赤色（ＲＥＤ）成分のみを反射するダイクロイックコートが施されている。
【００１６】
色分解プリズム２０に入射した光束のうち、第１プリズム５１の光束出射面でＢＬＵＥ成分が反射され、このＢＬＵＥ成分反射光は第１プリズム５１のＢＬＵＥチャンネル出射面から出射され青色トリミングフィルタ５５を透過してＢＬＵＥ成分以外の色要素を除去された後、図示しないＣＣＤ上に結像される。
ＢＬＵＥ成分以外の残りの光束は、第１プリズム５１を通過して第２プリズム５２に入射し、第２プリズム５２の光束出射面のダイクロイックコートによってＲＥＤ成分のみが反射される。このＲＥＤ反射光は、第２プリズム５２の入射面で全反射され、第２プリズム５２のＲＥＤチャンネルの出射面から出射し、赤トリミングフィルタ５６を透過してＲＥＤ成分以外の色要素が除去された後、図示しないＣＣＤ上に結像する。
【００１７】
残る緑色（ＧＲＥＥＮ）成分は、第３プリズム５３のＧＲＥＥＮチャンネルの出射面から出射し、緑トリミングフィルタ５７を透過してＧＲＥＥＮ成分以外の色要素が除去された後、図示しないＣＣＤ上に結像する。
続いて、色分解プリズムの支持構造について説明する。
図３は、プリズムハウジング２２の背面図であり、図４は図３に示したプリズムハウジング２２の左側面図である。
【００１８】
図３、図４に示されているように、プリズムハウジング２２には色分解プリズム２０を側面から支持する支持台６０が一体成形されており、この支持台６０にはプリズム取付け用の２つの貫通孔（取付け孔）６２、６２が形成されている（図４参照）。
支持台６０と色分解プリズム２０との間には、セラミック材料で形成されたプリズム台板６４が設けられている。色分解プリズム２０はプリズム台板６４を介して支持台６０に固定される。
【００１９】
図５は、図１に示した放送用カメラの先端部の一部断面を含む上面図であり、図６はプリズム台板６４と支持台６０の連結部の拡大断面図である。尚、図５中カメラハンウジングは省略されている。
プリズム台板６４には、前記支持台６０の２つの取付け孔６２、６２に対応した所定の間隔で２つの孔６６、６６が設けられ、各孔には内面に雌ねじ部が形成されたネジブッシュ（ネジ筒）６８が挿嵌されている（図６参照）。このネジブッシュ６８は先端部がプリズム台板６４の表面６４Ａから突出する状態で配設される。前記プリズム台板６４は上述のように前記ネジブッシュ６８が挿嵌された状態で色分解プリズム２０の側面に接着材で接着される。
【００２０】
前記プリズム台板６４の表面６４Ａから突出したネジブッシュ６８の先端部が支持台６０の取付け孔６２に嵌合されることで、プリズム台板６４の組付け位置が正確に位置決めされる。そして、ビス７０、７０によって支持台６０とプリズム台板６４が連結され、色分解プリズム２０が支持台に固定される。
図７は、防塵カバー４０の裏面図であり、図８は図７中Ａ−Ａ′線に沿う断面図である。防塵カバー４０は、例えば、板厚ｄ＝０．６ｍｍのアルミ板で形成され、中央下寄りの位置に、前記色分解プリズムへ進入する光の範囲を規制する開口部４２が形成される。開口部４２の形状については、特に限定するものではないが、本実施の形態では、円の上下を直線的にカットした長穴状に形成されている。
【００２１】
また、前記開口部４２の左側には、該開口部４２の後方に配置される色分解プリズム２０を支持する支持台６０を回避する切欠部４５が形成されている。
前記開口部４２の内周面４３は防塵カバー４０の肉厚方向に対して、光の進入面側から出射面側に向かって開口面積が広がるように傾斜面が形成されており、防塵カバー４０の全体は黒アルマイト処理され、防塵カバー４０によって遮断される光の散乱が防止されるとともに、開口部４２の内周面の傾斜面による光の散乱が防止される。
【００２２】
尚、本実施の形態では、不要光遮断用のマスクを防塵カバーと一体化しているが、これに限らず、防塵カバーと別体に形成したマスク部材を防塵カバーの開口部に接着させてもよい。
次に、上記の如く構成された色分解プリズムの支持機構の作用について説明する。
【００２３】
プリズム台板６４に所定の間隔（穴ピッチ）で２つの孔６６、６６を形成し、各孔にそれぞれネジブッシュ６８、６８を挿嵌する。この場合、プリズム台板６４の板厚よりも長いネジブッシュを用いるか、或いはネジブッシュの頭部が埋没する座グリ深さを大きめに形成するなどして、ネジブッシュ６８の先端部をプリズム台板６４の表面６４Ａ（支持台６０と接触する側の面）から突出させる。
【００２４】
そして、前記ネジブッシュ６８を埋め込んだプリズム台板６４を色分解プリズム２０の側面に接着材で接着する。
他方、プリズムマウント２２に一体形成された支持台６０に、前記所定の間隔で２つの取付け孔６２、６２を形成する。尚、取付け孔６２、６２には固定用のビス７０の頭部が埋没する座グリを形成する。
【００２５】
前記各取付け孔６２、６２に前記プリズム台板６４から突出したネジブッシュ６８の先端部を挿入することで、支持台６０に対するプリズム台板６４の取付け位置を位置決めできる。即ち、ネジブッシュ６８の先端部が色分割プリズム２０組付けの際の位置決め用のガイドピンの役割を果たし、固定用のビス７０が挿入される支持台６０の取付け孔６２がガイド孔の役割を果たしている。
【００２６】
ネジブッシュ６８の先端部を取付け孔６２に挿入した後は、各取付け孔６２にビス７０を締め込み、支持台６０とプリズム台板６４とを連結する。こうして、色分解プリズム２０が支持台６０に固定される。
上述のように、ネジブッシュ６８で位置決め用のガイドピンを兼用したので、従来別途設けられていたガイドピンが不要となり、製造工程を簡略化でき、低コスト化を図ることができる。
【００２７】
【発明の効果】
以上説明したように、本発明に係る色分解プリズムの支持構造によれば、色分解プリズムに接着される台板の穴にネジ筒を挿嵌し、該台板に雌ねじを形成するとともに、ネジ筒の先端部を台板の表面から突出して設け、該ネジ筒を位置決め用のガイドピンとして利用したので、従来別途設けられていた位置決め用のガイドピンが不要となる。
【００２８】
これにより、製造工程を簡略化でき、低コスト化を図ることができる。
【図面の簡単な説明】
【図１】本発明に係る色分解プリズムの支持構造が適用される放送用カメラの先端部の側面断面図
【図２】図１に示した放送用カメラの先端部の正面図
【図３】プリズムハウジングの背面図
【図４】図３に示したプリズムハウジングの左側面図
【図５】図１に示した放送用カメラの先端部の一部断面を含む上面図
【図６】プリズム台板と支持台の連結部の拡大断面図
【図７】防塵カバーの裏面図
【図８】図７中Ａ−Ａ′線に沿う断面図
【符号の説明】
１４…レンズ鏡胴受け座
１６…マウントリング
２０…色分解プリズム
２２…プリズムハウジング
６０…支持台
６２…取付け孔
６４…プリズム台板
６８…ネジブッシュ（ネジ筒）
７０…ビス
【図１】
0003877088.tif 000002
【図２】
0003877088.tif 000003
【図３】
0003877088.tif 000004
【図４】
0003877088.tif 000005
【図５】
0003877088.tif 000006
【図６】
0003877088.tif 000007
【図７】
0003877088.tif 000008
【図８】
0003877088.tif 000009